【事件の表示】
　特願２０１３−５２３４６３「アップリンク制御シグナル送信方法、アップリンク送信装置及びアップリンク復調基準信号搬送装置」拒絶査定不服審判事件〔平成２４年　２月１６日国際公開，ＷＯ２０１２／０１９３９８，平成２５年１０月１７日国内公表，特表２０１３−５３９２６９〕について，次のとおり審決する。
【結　論】
　本件審判の請求は，成り立たない。
【理　由】
第１　出願の経緯・本願発明
　本願は，２０１０年１１月２４日（パリ条約による優先権主張　２０１０年８月１２日　（ＣＮ）中華人民共和国）を国際出願日とする特許出願であって，平成２７年２月５日付けで拒絶査定がなされ，これに対し，平成２６年６月１０日に拒絶査定不服の審判が請求されるとともに，同日付けで手続補正がなされたものであって，請求項１に係る発明は，平成２７年６月１０日付けの手続補正書により補正された特許請求の範囲の請求項１に記載された次のとおりのものと認める（以下，「本願発明」という。）。
　
「　アップリンク制御シグナル送信方法であって，
　アップリンク制御シグナルに対して，チャネルコーディング，スクランブリング，変調，時間領域拡散及びプリコーディング変換をそれぞれ行い，又はチャネルコーディング，スクランブリング，変調，プリコーディング変換及び時間領域拡散をそれぞれ行い，
　前記アップリンク制御シグナルを，前記アップリング制御シグナルの搬送に利用される直交波周波数分割多重（ＯＦＤＭ：Ｏｒｔｈｏｇｏｎａｌ　Ｆｒｅｑｕｅｎｃｙ　Ｄｉｖｉｓｉｏｎ　Ｍｕｌｔｉｐｌｅｘｉｎｇ）シンボルへマッピングし，
　前記ＯＦＤＭシンボルに保持された前記アップリング制御シグナルを送信し，
　前記アップリンク制御シグナルを搬送するＯＦＤＭシンボルは，１つのサブフレームにおいて，アップリンク基準信号によって占有されるＯＦＤＭシンボルを除くＯＦＤＭシンボルであり，
　前記アップリンク制御シグナル及びサウンディング基準信号（ＳＲＳ：Ｓｏｕｎｄｉｎｇ　Ｒｅｆｅｒｅｎｃｅ　Ｓｉｇｎａｌ）が１つのサブフレームにより搬送される場合に，サブフレームの２番目のタイムスロットの最後のＯＦＤＭシンボルにおいて，アップリンク制御シグナルとアップリンク復調基準信号のいずれも搬送されず，
　前記アップリンク制御シグナルに対して時間領域拡張を行う際，
　直交シーケンスを利用して，処理された前記アップリンク制御シグナルシーケンスをアップリンク制御シグナルを搬送するＯＦＤＭシンボルに拡張し，
　前記直交シーケンスの長さは，１つのタイムスロットにおいて，アップリンク制御シグナルを搬送するＯＦＤＭシンボルの数であり，
　前記アップリンク制御シグナルを送信する場合，
　復調基準信号を，各タイムスロットのｋ個のＯＦＤＭシンボルにより搬送し，
　ノーマル巡回プレフィックスのサブフレームにおいて，ｋ＝２又はｋ＝３であり，
　拡張巡回プレフィックスのサブフレームにおいて，ｋ＝２又はｋ＝１である
　ことを特徴とする方法。」
第２　引用発明及び周知事項 
１　引用発明
（１）引用発明１
　原査定の拒絶の理由に引用された　Ericsson, ST-Ericsson，PUCCH Design for CA，3GPP TSG-RAN WG1 Meeting #61b (R1-103506)，２０１０年６月２８日（以下「引用例１」という。）には，「PUCCH Dsgign for CA」（［当審仮訳］：CAのためのPUCCHの設計）に関して図面とともに以下の事項が記載されている。
ア　「2.1 PUCCH Transmission
2.1.1 Carrier Aggregation HARQ Feedback Transmission Scheme
We propose to use the transmission scheme presented in [2] and shown in Figure 1 for the transmission of HARQ feedback bits due to carrier aggregation. The multiple HARQ feedback bits are encoded by the (32, O) RM code with circular buffer rate matching [5] into 48 coded bits, where O=n with spatial bundling and O=2n without spatial bundling. The number n denotes the number of configured component carriers. It is worthwhile to mention that this is encoder is already used in Rel-8/9. The coded bits are scrambled with cell-specific and possible DFTS-OFDM symbol dependent sequences. 24 bits are transmitted within the first slot and the other 24 bits are transmitted within the second slot. The 24 bits are converted into 12 QPSK symbols, DFT precoded, spread across five DFTS-OFDM symbols and transmitted within one resource blocks (bandwidth) and five DFTS-OFDM symbols (time). The spreading sequence is UE specific and enables multiplexing of up to five users within the same resource blocks. The used spreading sequences are DFT sequences of length five. Frequency hopping is applied at slot boundaries to achieve frequency diversity.
For the reference signals cyclic shifted CAZAC sequences, e.g. the computer optimized sequences in [7] can be used.
Proposal 1: Carrier aggregation PUCCH is based on DFTS-OFDM transmission.」（1ページ目）
（［当審仮訳］：
２．１　PUCCH伝送
２．１．１　キャリアアグリゲーション　ＨＡＲＱフィードバック　伝送スキーム
　我々は，キャリアアグリゲーションにおけるＨＡＲＱフィードバックビットの伝送のために，［２］及び図１に示される伝送スキームを使用することを提案する。複数のＨＡＲＱフィードバックビットは，４８ビットへの循環バッファレートマッチング［５］を使用した（３２，Ｏ）ＲＭ符号（ここで，空間バンドリングを使用する場合にはＯ＝ｎであり，空間バンドリングを使用しない場合にはＯ＝２ｎ）により符号化される。ｎは，配置されるコンポーネントキャリアの数を意味する。この符号化器はリリース８／９において既に使用されていることに言及することには意味がある。符号化ビットは，セル固有であり，考えられる（possible）ＤＦＴＳ−ＯＦＤＭシンボルから独立したシーケンスによりスクランブルされる。２４ビットは最初のスロット内で伝送され，他方の２４ビットは２番目のスロット内で伝送される。２４ビットは，１２個のＱＰＳＫシンボルに変換され，ＤＦＴＳによりプリコードされ，５つのＤＦＴＳ−ＯＦＤＭシンボルにわたって拡散され，１つのリソースブロック（周波数）及び５つのＤＦＴＳ−ＯＦＤＭシンボル（時間）内で伝送される。拡散シーケンスは，ＵＥ固有で，同じリソースブロック内で５ユーザまでの多重化を可能とする。使用される拡散シーケンスは，長さ５のＤＦＴシーケンスである。周波数ダイバシティを達成するために，スロット境界で周波数ホッピングが使用される。
　基準信号のために，巡回シフトされたＣＡＺＡＣシーケンス，例として［７］のコンピュータ最適化シーケンスが使用される。
提案１：キャリアアグリゲーションＰＵＣＣＨは，ＤＦＴＳ−ＯＦＤＭ伝送に基づく。」
イ　「
Figure 1: Block diagram to feed back HARQ feedback bits due to carrier aggregation. In the first slot (shown here) the first 24 coded bits are transmitted, in the second slot (not shown) the remaining 24 coded bits. 
」（２ページ目）
（［当審仮訳］（図面省略）：
　図１：キャリアアグリゲーションのために，ＨＡＲＱフィードバックビットをフィードバックするブロック図。最初のスロット（図示）において，最初の２４符号化ビットが伝送され，２番目のスロット（図示せず）において，残りの２４符号化ビットが送信される。）
ウ　「2.1.3 Carrier Aggregation HARQ Feedback Transmission in same Subframe as SRS
In subframes that are configured for SRS transmissions the last OFDM symbol needs to be punctured. This needs even to be done by terminals that do not transmit SRS in such a subframe to avoid collisions with SRS transmissions from other terminals. 
This can be easily achieved by the proposed carrier aggregation PUCCH with minor modifications, see Figure 2. Nothing changes for the first slot (i.e. Figure 1 is still valid) but in the second slot the last DFTS-OFDM symbol is punctured. 
The multiplexing capacity is reduced from five to four users since the orthogonal cover applied to the second slot is only four elements long. DFT sequences of length four are used as orthogonal cover sequences.」（３ページ目）
（［当審仮訳］：
　２．１．３　ＳＲＳと同じサブフレームにおけるキャリアアグリゲーションＨＡＲＱフィードバック伝送
　ＳＲＳ伝送のために構成されるサブフレームにおいては，最後のＯＦＤＭシンボルは，パンクチャされる必要がある。これは，他の端末からのＳＲＳ伝送との衝突を回避するために，そのようなサブフレームにおいてＳＲＳを伝送しない端末に対しても要求される。
　これは，図２にあるように，提案したキャリアアグリゲーションＰＵＣＣＨを少し修正するだけで簡単に達成することができる。最初のスロットには変更はなく（つまり，図１は依然として有効），しかし，２番目のスロットにおいて，最後のＤＦＴＳ−ＯＦＤＭシンボルはパンクチャされる。
　２番目のスロットに適用される直交カバーは４つの要素長さしかないため，多重化の収容能力は，５から４に減る。長さ４のＤＦＴＳシーケンスが，直交カバーシーケンスとして使用される。」
エ　「
Figure 2: Block diagram of the transmission scheme to be used in subframes that are configured for SRS transmissions. Above figure shows the block diagram for the second slot.」（３ページ目）
（［当審仮訳］（図面省略）：
　図１：ＳＲＳ伝送のため構成されるサブフレームに使用される伝送スキームのブロック図。
　上図は，２番目のスロットのブロック図を示す。）
（ア）引用例１のタイトル及び上記アより，引用例１は，ＰＵＣＣＨにおけるＨＡＲＱフィードバックビットの伝送方法に関するものである。
（イ）前記アより，引用例１においては，「ＨＡＲＱフィードバックビット」に対して，「符号化」，「スクランブル」，「ＱＰＳＫシンボルへの変換」，「ＤＦＴＳによるプリコード」及び「拡散」を行っているといえる。
　また，出願時の技術常識（例えば，ＬＥＴの規格リリース８又はリリース９等）を考慮すれば，前記イ（図１）及びエ（図２）における，「ＡＣＫ／ＮＡＣＫ」，「ＦＥＣ」，「Ｂｉｔ→Ｓｙｍ」及び「ＤＦＴ」はそれぞれ，「ＨＡＲＱフィードバックビット」，「符号化」，「ＱＰＳＫシンボルへの変換」及び「ＤＦＴＳによるプリコード」に相当することが明らかである。
　また，「拡散」に関し，上記アには「５つのＤＦＴＳ−ＯＦＤＭシンボルにわたって拡散」すること，「拡散」を「拡散シーケンス」により行い，当該「拡散シーケンス」は，「多重化」を実現するものであること，及び，「拡散シーケンス」が，「ＤＦＴシーケンス」であることが記載されている。そして，上記ウには，「ＤＦＴシーケンス」が，「直交カバーシーケンス」であることが記載されているから，これらを総合すると，「拡散」を行う「拡散シーケンス」として所定の長さの「直交カバー」を用いることが記載されている。また，そして，「直交カバー」（orthogonal cover）の頭文字は，「oc」であることを考慮すれば，上記イ及びエに記載の「oc0」ないし「oc4」は，上記アに記載の「長さ５のＤＦＴシーケンス」すなわち，長さ５の「直交カバーシーケンス」であるといえ，上記エに記載の「oc0」ないし「oc3」は，上記ウに記載の「長さ４のＤＦＴＳシーケンス」すなわち長さ４の「直交カバーシーケンス」であるといえる。
　そうすると，前記イ（図１）及びエ（図２）を参酌し，処理の順序を考慮すれば，引用例１には，「ＨＡＲＱフィードバックビット」に対して，「符号化」，「スクランブル」，「ＱＰＳＫシンボルへの変換」，「ＤＦＴシーケンスである直交カバーシーケンスによる拡散」及び「ＤＦＴＳによるプリコード」をそれぞれ行うことが記載されている。
（ウ）前記イ（図１）及びエ（図２）より，ＤＦＴによりプリコードされたＨＡＲＱフィードバックビットは，ＩＦＦＴ（逆高速フーリエ変換）の処理を介して，各シンボル０ないし６にマッピング（配置）されていることが見てとれる。また，上記アより，各シンボルは，「ＤＦＴＳ−ＯＦＤＭシンボル」である。そうすると，引用例１には，「前記ＨＡＲＱフィードバックビット」を，「ＤＦＴＳ−ＯＦＤＭシンボル」にマッピングすることが記載されている。
（エ）前記ア，イ及びエより，ＩＦＦＴの処理を介してＨＡＲＱフィードバックビットがマッピングされたＤＴＦＳ−ＯＦＤＭシンボルがＰＵＣＣＨ上で伝送されることは自明である。
（オ）前記ウにおいて，「ＳＲＳ伝送のために構成されるサブフレーム」とは，ＳＲＳが伝送されるサブフレームであるといえる。そして，前記ア及びウからして，前記エの図２は，ＳＲＳが伝送されるサブフレームの２番目のスロットにおけるＰＵＣＣＨの構造，前記イの図１は，ＳＲＳが伝送されないサブフレームの１番目及び２番目のスロット並びにＳＲＳが伝送されるサブフレームの１番目のスロットにおけるＰＵＣＣＨの構造を示していると解される。
　そして，ＳＲＳが伝送されるサブフレームのＰＵＣＣＨにおいては，前記ウより，２番目のスロットにおいて，最後のＤＦＴＳ−ＯＦＤＭシンボルはパンクチャされ，前記エの図２より，２番目のスロットの最後のＤＦＴＳ−ＯＦＤＭシンボルには，「０」がマッピングされている一方，０番目，２番目，３番目及び４番目のＤＦＴＳ−ＯＦＤＭシンボルには，ＨＡＲＱフィードバックビットがマッピングされている。そして，当該「０」は，「ＨＡＲＱフィードバックビット」でも「ＲＳ」でもないことは明らかである。
　これらの事項を総合すると，引用例１には，「ＨＡＲＱフィードバックビットとＳＲＳが１つのサブフレームにより伝送される場合に，サブフレームの２番目のスロットの最後のＤＦＴＳ−ＯＦＤＭシンボルにおいて，ＨＡＲＱフィードバックビットとＲＳのいずれも伝送され」ないことが記載されている。
（カ）一方，ＳＲＳが伝送されないサブフレームのＰＵＣＣＨにおける１番目及び２番目のスロット，並びに，ＳＲＳが伝送されるサブフレームのＰＵＣＣＨにおける１番目のスロットは，前記イより，ＲＳがマッピングされる１番目と５番目のＤＦＴＳ−ＯＦＤＭシンボルを除いた，０番目，２ないし４番目及び６番目のＤＦＴＳ−ＯＦＤＭシンボルに，ＨＡＲＱフィードバックビットがマッピングされている。また，ＳＲＳが伝送されるサブフレームのＰＵＣＣＨにおける２番目のスロットにおいては，ＲＳがマッピングされる１番目と５番目のＤＦＴＳ−ＯＦＤＭシンボルに加え，ＳＲＳの伝送に伴いパンクチャされる６番目のＤＦＴＳ−ＯＦＤＭシンボルを除いたＤＦＴＳ−ＯＦＤＭシンボルにＨＡＲＱフィードバックビットがマッピングされている。また，サブフレームのＰＵＣＣＨにおいて，ＲＳがＤＦＴＳ−ＯＦＤＭシンボルにマッピングされることは，当該ＤＦＴＳ−ＯＦＤＭシンボルを占有しているに等しい。
　これらを総合すると，引用例１には，「ＨＡＲＱフィードバックビット」がマッピングされる「ＤＦＴＳ−ＯＦＤＭシンボル」は，１つのサブフレームにおいて，「ＲＳによって占有されるＤＦＴＳ−ＯＦＤＭシンボル」と「ＳＲＳの伝送に伴いパンクチャされるＤＦＴＳ−ＯＦＤＭシンボル」を除く「ＤＦＴＳ−ＯＦＤＭシンボル」であることが記載されているといえる。
（キ）前記アないしエ及び前記（イ）より，引用例１において，「ＨＡＲＱフィードバックビット」に対して「拡散」を行う際には，「直交カバーシーケンス」を利用して，「ＱＰＳＫシンボルに変換されたＨＡＲＱフィードバックビット」を「ＨＡＲＱフィードバックビット」がマッピングされる「ＤＦＴＳ−ＯＦＤＭシンボル」に拡散しているといえる。
　また，「ＨＡＲＱフィードバックビット」がマッピングされる「ＤＦＴＳ−ＯＦＤＭシンボル」の数が５の場合（図１，すなわち，ＳＲＳを伝送しないサブフレームの１番目のスロット及び２番目のスロット，ＳＲＳを伝送するサブフレームの１番目のスロット）においては，長さ５の「直交カバーシーケンス」を用い，「ＨＡＲＱフィードバックビット」がマッピングされる「ＤＦＴＳ−ＯＦＤＭシンボル」の数が４の場合（図２，すなわち，ＳＲＳを伝送するサブフレームの２番目のスロット）においては，長さ４の「直交カバーシーケンス」を用いており，かつ，前記イ（図１）及びエ（図２）より，「直交カバーシーケンス」（「oc0」ないし「oc4」又は「oc0」ないし「oc3」）は，「ＨＡＲＱフィードバックビット」がマッピングされる「ＤＦＴＳ−ＯＦＤＭシンボル」のみに適用されていることから，「直交カバーシーケンスの長さ」は，「１つのスロット」において，「ＨＡＲＱフィードバックビットがマッピングされるＤＦＴＳ−ＯＦＤＭシンボルの数」であることは自明である。
（ク）上記イ（図１）及びエ（図２）より，「ＨＡＲＱフィードバックビット」を伝送する場合，「ＲＳ」を，各スロットの７個のＤＦＴＳ−ＯＦＤＭシンボルのうちの２個の「ＤＦＴＳ−ＯＦＤＭシンボル」にマッピングしていることが明らかである。また，各スロットにおいて，「ＲＳ」をマッピングするＤＦＴＳ−ＯＦＤＭシンボルの数を「ｋ」と称することは任意である。
　上記アないしエ及び（ア）ないし（ク）の検討から，引用例１には，以下の発明（以下，「引用発明１」という。）が記載されている。
「　ＰＵＣＣＨにおけるＨＡＲＱフィードバックビットの伝送方法であって，
　ＨＡＲＱフィードバックビットに対して，符号化，スクランブル，ＱＰＳＫシンボルへの変換，ＤＦＴシーケンスである直交カバーシーケンスによる拡散及びＤＦＴによるプリコードをそれぞれ行い，
　前記ＨＡＲＱフィードバックビットを，ＤＴＦＳ−ＯＦＤＭシンボルへマッピングし，
　前記ＨＡＲＱフィードバックビットがマッピングされる前記ＤＦＴＳ−ＯＦＤＭシンボルを伝送し，
　前記ＨＡＲＱフィードバックビットがマッピングされるＤＦＴＳ−ＯＦＤＭシンボルは，１つのサブフレームにおいて，ＲＳによって占有されるＤＦＴＳ−ＯＦＤＭシンボルとＳＲＳの伝送に伴いパンクチャされるＤＦＴＳ−ＯＦＤＭシンボルとを除くＤＦＴＳ−ＯＦＤＭシンボルであり，
　ＨＡＲＱフィードバックビットとＳＲＳが１つのサブフレームにより伝送される場合に，サブフレームの２番目のスロットの最後のＤＦＴＳ−ＯＦＤＭシンボルにおいて，ＨＡＲＱフィードバックビットとＲＳのいずれも伝送されず，
　前記ＨＡＲＱフィードバックビットに対して直交カバーシーケンスによる拡散を行う際，
　直交カバーシーケンスを利用して，ＱＰＳＫシンボルに変換された前記ＨＡＲＱビットをＨＡＲＱフィードバックビットがマッピングされるＤＦＴＳ−ＯＦＤＭシンボルに拡散し，
　前記直交カバーシーケンスの長さは，１つのスロットにおいて，ＨＡＲＱフィードバックビットがマッピングされるＤＦＴＳ−ＯＦＤＭシンボルの数であり，
　ＨＡＲＱフィードバックビットを伝送する場合，
　ＲＳを，各スロットの７個のＤＦＴＳ−ＯＦＤＭシンボルのうちｋ個のＤＦＴＳ−ＯＦＤＭシンボルにマッピングし，
　ｋ＝２である，
ことを特徴とする方法。」
（２）引用発明２
　原査定の拒絶の理由に引用された　ZTE，Multiplexing of Sounding RS and PUCCH，3GPP TSG-RAN WG1 Meeting #50　(R1-103506），２００７年８月２０日（以下「引用例２」という。）には，「Multiplexing of Souding RS and PUCCH」（［当審仮訳］：サウンディングＲＳとＰＵＣＣＨの多重化）に関して図面とともに以下の事項が記載されている。
オ　「In #49bis meeting, control channel transmission structures in uplink, i.e. PUCCH carrying ACK/NACK and/or CQI were agreed. The working assumption of ACK/NACK is as figures 1 and figure 2. However, when the SRS (Sounding RS) is transmitted with PUCCH simultaneously, ACK transmission structures have to be modified in order to maintain the single carrier property.
（…中略…）
（…中略…）The different number in the block denotes different time-frequency resource in one slot. The same number and color in the block denotes the ACK/NACK users in the same time-frequency resource with intra-subframe hopping.」（１ページ目）
（［当審仮訳］：＃４９ｂｉｓ会議において，アップリンク制御チャネル伝送構造，例えばＰＵＣＣＨが，ＡＣＫ／ＮＡＣＫ及び／又はＣＱＩを搬送することが合意された。ＡＣＫ／ＮＡＣＫに関する作業仮説は，図１及び図２に示されている。しかしながら，ＳＲＳ（サウンディングＲＳ）がＰＵＣＣＨと同時に伝送される場合，ＡＣＫ伝送構造は，シングルキャリア構造を維持するために，修正されなければならない。
（…中略…）
（図面省略）
　図１．短ＣＰのためのＡＣＫ／ＮＡＫ伝送構造
（図面省略）
　図２．長ＣＰのためのＡＣＫ／ＮＡＫ伝送構造）
（…中略…）
ブロックにおける異なる数は，１つのスロットにおける，異なる時間−周波数リソースを示している。ブロックにおける同じ数及び色は，サブフレーム内ホッピングを伴う，同じ時間−周波数リソースにおけるＡＣＫ／ＮＡＣＫユーザを示す。」
カ　「2 Discussion of multiplexing of uplink SRS and PUCCH
From the contributions of some companies, we see the suggestions of multiplexing of uplink SRS and PUCCH as follows.
2.1  Reserve one LB of PUCCH for SRS to sound all bandwidth 
This design requires all users using the same transmission structure format, whatever PUCCH is transmitted with SRS or without SRS. That is: every ACK/NACK user reserves one LB not using for ACK/NACK transmission and SRS may be transmitted in the whole bandwidth of this LB [1]. The reserved LB for SRS might be obtained by reducing one LB of ACK/NACK data or ACK/NACK RS, as figure 3 and figure 4. 
Single carrier property is maintained in the above design and the whole bandwidth can be measured. However, it is unfair for the ACK/NACK users without SRS. Because the ACK/NACK users without SRS can not use the reserved LB for ACK/NACK transmission, its performance will be decreased. If ACK/NACK users without SRS use the reserved LB, the interference will be introduced between ACK/NACK signals of the user without SRS and sounding signals of the users with SRS in the same resource. 
」（２〜３ページ目）
（［当審仮訳］：
２　アップリンクＳＲＳとＰＵＣＣＨの多重化に関する議論
いくつかの企業の寄稿から，我々は，以下のような，アップリンクＳＲＳとＰＵＣＣＨの多重化についての提案が認められた。
２．１　すべての周波数帯にわたるＳＲＳのため，ＰＵＣＣＨの１つのＬＢの保留
この設計では，ＰＵＣＣＨの伝送に，ＳＲＳを伴うか，ＳＲＳを伴わないかに関わらず，すべてのユーザが同じ伝送構造フォーマットを利用することが必要である。すなわち，すべてのＡＣＫ／ＮＡＣＫのユーザは，ＡＣＫ／ＮＡＣＫ伝送に利用されない１つのＬＢを保留することにより，ＳＲＳは，このＬＢの周波数帯域の全域にわたって伝送することができる［１］。図３及び図４に示されるように，ＡＣＫ／ＮＡＣＫデータ又はＡＣＫ／ＮＡＣＫ　ＲＳの１つのＬＢを削減することにより，ＳＲＳのために保留されたＬＢが得られる。
上記の設計において単一キャリアの特性は維持され，周波数帯域の全域が測定される。しかしながら，ＳＲＳを要しないＡＣＫ／ＮＡＣＫのユーザにとっては不公平である。なぜなら，ＳＲＳを要しないＡＣＫ／ＮＡＣＫのユーザは，保留されたＬＢをＡＣＫ／ＮＡＣＫの伝送に利用できず，その性能が低減するからである。もし，ＳＲＳを伴わないＡＣＫ／ＮＡＣＫのユーザが保留されたＬＢを使用するなら，ＳＲＳを伴わないそのユーザによるＡＣＫ／ＮＡＣＫ信号と，同じリソースによるＳＲＳを伴う利用者によるＳＲＳサウンディング信号との間には，干渉が生じる。
（図面省略）
図３．すべての周波数帯域をサウンディングする場合における，ＡＣＫ／ＮＡＫ伝送構造１
（図面省略）
図４．すべての周波数帯域をサウンディングする場合における，ＡＣＫ／ＮＡＫ伝送構造２）
（ケ）前記オの図１及び図２は，出願時の技術常識を考慮すれば，ＡＣＫ／ＮＡＣＫとＲＳとを同じサブフレームにマッピングする場合における，サブフレームの２つのスロットのＰＵＣＣＨの構造を示したものである。
　そして，各スロットにおいて，ＬＢにマッピングされるＲＳの数は，図１によれば，短ＣＰにおいては７個のＬＢのうちの３個であり，図２によれば，長ＣＰにおいては６個のＬＢのうちの２個である。
（コ）前記カの図３及び図４は，出願時の技術常識を考慮すれば，ＡＣＫ／ＮＡＣＫとＲＳとＳＲＳとを同じサブフレームにマッピングする場合における，サブフレームの２つのスロットのＰＵＣＣＨの構造を示したものである。
　また，図３及び図４は，スロットに含まれるＬＢの数は図１と同じ７つであるから，短ＣＰにおけるサブフレームの構造を示したものであることが明らかである。
　そして，各スロットにおいて，ＬＢにマッピングされるＲＳの数は，図３によれば，短ＣＰにおいて３個であり，図４によれば，短ＣＰにおいて２個又は３個である。
（サ）前記カより，周波数帯域の全域にわたるＳＲＳを伴ってＡＣＫ／ＮＡＣＫを伝送する場合には，ＰＵＣＣＨの周波数帯域にもＳＲＳが伝送されることとなり，したがって，当該周波数帯域には，ＡＣＫ／ＮＡＣＫもＲＳも伝送されない。そうすると，ＰＵＣＣＨの周波数帯域に着目すると，ＡＣＫ／ＮＡＣＫがマッピングされるＬＢは，１つのサブフレームにおいて，ＲＳとＳＲＳによって占有されるＬＢを除くＬＢであるといえる。
　前記オ及びカ及び（ケ）ないし（サ）の検討から，引用例２には，以下の発明（以下，「引用発明２」という。）が記載されている。
「　ＰＵＣＣＨにおいて，ＡＣＫ／ＮＡＣＫがマッピングされるＬＢは，１つのサブフレームにおいて，ＲＳとＳＲＳによって占有されるＬＢを除くＬＢであること，及び，
　ＡＣＫ／ＮＡＣＫを搬送するＰＵＣＣＨにおいて，各スロットにおいてＲＳがマッピングされるＬＢの数は，
　短ＣＰのサブフレームにおいて，７個のＬＢのうちの２個又は３個，
　長ＣＰのサブフレームにおいて，６個のＬＢのうちの２個であること。」
（３）引用発明３
　原査定の拒絶の理由に引用された　SHARP，Embedded Coding for PUCCH Transmissions of CQI+ACK/NACK，3GPP TSG-RAN WG1 Meeting #51b (R1-080509)，２００８年１月１４日（以下「引用例３」という。）には，「Embedded Coding for PUCCH Transmissions of CQI+ACK/NACK」（［当審仮訳］：ＣＱＩ＋ＡＣＫ／ＮＡＣＫのＰＵＣＣＨ伝送のための埋込符号）に関して図面とともに以下の事項が記載されている。
キ　「
」（第３ページ）
（［当審仮訳］：
」
（シ）引用例３のタイトルからして，引用例３は，ＣＱＩとＡＣＫ／ＮＡＣＫを伝送するためのＰＵＣＣＨに関するものであり，前記キ（Table 3）より，ＡＣＫ／ＮＡＣＫを含む情報ビットを送信するスロットごとのＲＳ数は，短ＣＰの場合に２，長ＣＰの場合に１である。　
　前記キ及び（シ）の検討から，引用例３には，以下の発明（以下，「引用発明３」という。）が記載されている。
「　ＡＣＫ／ＮＡＣＫを搬送するＰＵＣＣＨにおいて，各スロットにおけるＲＳの数は，
　短ＣＰにおいて，２個，
　長ＣＰにおいて，１個であること。」
（４）周知事項
　本願の優先日前に公知となった，E. Dhalman, ほか３名著, 服部武，ほか２名監訳，３Ｇ　Ｅｖｏｌｕｔｉｏｎのすべて　ＬＴＥモバイルブロード方式技術，丸善株式会社，２００９年１２月２５日，初版，第４２３−４６２ページ（以下，「周知文献１」という。）には，ＬＴＥにおける上りリンク伝送方式に関して，図面とともに以下の事項が記載されている。
ク　「１７．２  上りリンク基準信号
１７．２．１  上りリンク復調用基準信号
　下りリンクと同様に，上りリンクにおいても受信側で異なる物理チャネルの同期検波を実現するために基準信号が必要である。これらの基準信号はより正確には上りリンクの「復調用基準信号（ＤＲＳ）」とよばれ，１７．２．２項で述べる上りリンク「サウンディング基準信号（ＳＲＳ）」と区別される。簡単のため，本節では上りリンク基準信号という場合は上りリンクＤＲＳを指すものとする。上りリンク基準信号は，ＵＬ−ＳＣＨがマッピングされる物理上り共用チャネル（ＰＵＳＣＨ）の同期検波のために必要である。上りリンク基準信号は，１７．３節で述べる異なる種類のＬＩ／Ｌ２制御信号を伝送するための物理上り制御チャネル（ＰＵＣＣＨ）の同期検波のためにも必要となる。基本的にＰＵＳＣＨ用とＰＵＣＣＨ用の上りリンク基準信号は同じ構成であるが，以下に述べるようにいくつかの相違点がある。
１７．２．１．１  上りリンクＤＲＳの基本伝送法
　上りリンクにおいては送信電力の時間変動（ＰＡＲ）が小さいことが望ましいため，上りリンクの基準信号の伝送法は，下りリンクと大きく異なる。すなわち，ある端末が基準信号と他の上りリンク伝送信号を周波数多重して送信するのはＰＡＲの観点から望ましくない。そこで上りリンクでは，サブフレーム内の一部のＤＦＴＳ−ＯＦＤＭシンボルを基準信号の送信専用に用いる。つまり，ある同一の端末の送信において上りリンクの基準信号は他の上りリンク伝送信号に対して時間多重される。
　より詳細には，ＰＵＳＣＨの伝送では基準信号は各上りリンクスロットの第４シンボルを使って送信される＊３（図１７．４）。 したがって，各サブフレームでは２つの基準信号が送信されることになる。一方，ＰＵＣＣＨの伝送時には，基準信号伝送に用いるＤＦＴＳ−ＯＦＤＭシンボル数とスロットにおけるこれらのシンボルの正確な位置は，ＰＵＣＣＨのフォーマットに応じて異なる。」（第４２６ページ第８行〜第４２７ページ第６行）
ケ　「通常のサイクリックプレフィクスでは１スロットあたり７つのＯＦＤＭシンボルが存在する（拡張サイクリックプレフィクスの場合は６）。」（第４４２ページ第７〜８行）
　前記クより，以下の事項は，ＬＴＥにおける周知事項と解される。
『ＰＵＣＣＨ用の基準信号には，上りリンク「復調用基準信号（ＤＲＳ）」と上りリンクの「サウンディング基準信号（ＳＲＳ）」とがあり，上りリンクの「復調用基準信号（ＤＲＳ）」は，簡単のために上りリンクの「基準信号」ともいうこと。』（以下，「周知事項１」という。）及び
「上りリンクの復調用基準信号（ＤＲＳ）を伝送するＤＦＴＳ−ＯＦＤＭのシンボル数と位置は，ＰＵＣＣＨのフォーマットに応じて異なること。」（以下，「周知事項２」という。）
　また，前記ケより，以下の事項は，ＬＴＥにおける周知事項と解される。
「１スロットあたりのＯＦＤＭシンボルは，通常のサイクリックプレフィクスの場合は７つであり，拡張サイクリックプレフィクスの場合は６つであること。」（以下，「周知事項３」という。）
　本願の優先日前に公知となった米国特許出願公開第２００８／０２３２３２５号明細書（以下，「周知文献２」という。）には，移動局からの応答信号（上りリンク伝送）に関して，図面とともに以下の事項が記載されている。
コ　「[0044]  FIG. 1C  shows a TTI with, one time slot considered for 3GPP LTE. The TTI has a duration of 0.5 ms. The TTI includes cyclic prefixes (CP)  24 , long blocks (LB)  22 , and short blocks (SB)  23 . The symbols in the short blocks can be used to transmit pilot tones  25 . The long blocks are used to transmit information or control symbols (user data). Thus, the TTI includes six LBs and two SBs.
[0045]  FIG. 1C  shows another 0.5 ms TTI with one time slot considered for 3GPP LTE. In this case, all the OFDM symbols are of the same length and are long blocks. One or more of the LBs in the time slot are used to transmit pilot tones, while the other LBs are used to transmit information (data). In effect, this TTI consists of seven LBs.」（第２〜３ページ）
（［当審仮訳］：
［００４４］　図１Ｃは，３ＧＰＰのＬＴＥで検討されている１つのタイムスロットにおけるＴＴＩを示している。ＴＴＩは，０．５ｍｓの期間を有している。ＴＴＩは，巡回プレフィックス（ＣＰ）２４，ロングブロック（ＬＢ）２２及びショートブロック（ＳＢ）２３を含む。ショートブロックにおけるシンボルは，パイロットトーン２５を伝送するために使用することができる。ロングブロックは，情報又は制御シンボル（ユーザデータ）を伝送するために使用される。よって，ＴＴＩは，６つのＬＢと２つのＳＢを含む。
［００４５］　図１Ｃ（［当審注］：「図１Ｄ」の誤記と思われる。）は，３ＧＰＰのＬＴＥで検討されている，１タイムスロットあたり０．５ｍｓのＴＴＩの別の例を示す。この場合，すべてのＯＦＤＭシンボルは，ロングブロックと同じ長さである。タイムスロットにおける１つ又は複数のＬＢは，パイロットトーンを伝送するために使用され，他のＬＢは，情報（データ）を伝送するために使用される。具体的には，このＴＴＩは，７つのＬＢを含む。）
（ス）前記コの［００４４］より，「ＬＢ」は，「ロングブロック」の略称であり，［００４５］より，「ロングブロック」は，「ＯＦＤＭシンボル」と同じ長さを有していることから，「ＯＦＤＭシンボル」と同義である。
　前記コ及び（ス）の検討より，以下の事項は，ＬＴＥにおける周知事項と解される。
『「ＬＢ」は，ＯＦＤＭシンボルと同義であること。』（以下，「周知事項４」という。）
第３　対比・判断
１　対比
　本願発明と引用発明１とを対比する。
 
（１）引用発明１の「ＰＵＣＣＨ」は，Physical Uplink Control CHannel（物理アップリンク制御チャネル）の略語であることは出願時の技術常識であるから，引用発明１の「ＨＡＲＱフィードバックビット」は，アップリンク制御チャネルにより伝送されるビットであり，当該ビットは，伝送される際には，信号すなわちシグナルとして伝送されることは自明である。そうすると，引用発明１の「ＨＡＲＱフィードバックビット」は，本願発明の「アップリンク制御シグナル」に相当する。
　そして，「伝送」と「送信」は同義であるから，引用発明１の「ＰＵＣＣＨにおけるＨＡＲＱフィードバックの伝送方法」は，本願発明の「アップリンク制御シグナル送信方法」に相当する。
（２）引用発明１において，「符号化」は，「ＰＵＣＣＨ」すなわち制御チャネルに対するものであり，「符号化」は，「コーディング」と同義である。よって，引用発明１の「符号化」は，本願発明の「チャネルコーディング」に相当する。
　また，引用発明１の「スクランブル」と本願発明の「スクランブリング」とは，表現の差異があるだけで，実質的には同じ処理である。
　また，引用発明１の「ＱＰＳＫシンボルへの変換」において，「ＱＰＳＫ」が，四位相偏移変調であることは出願時の技術常識から明らかである。そうすると，前記「ＱＰＳＫシンボルへの変換」とは，実質的に「ＱＰＳＫシンボル」へ「変調」していることに他ならない。よって，引用発明１の「ＱＰＳＫシンボルへの変換」は，本願発明の「変調」に含まれている。
　また，本願明細書の段落【００７６】には，「時間領域拡散とは，直交シーケンスを利用して，コーディング後のシーケンスを，ＡＣＫ／ＮＡＣＫメッセージのサブフレームにおける占有されるＯＦＤＭシンボルに拡張することである。直交シーケンスは，ＤＦＴシーケンス…（中略）…を利用してもよい。」と記載されていることから，本願発明の，「時間領域拡散」とは，「ＤＦＴシーケンス」等の「直交シーケンス」により，コーディング後のシーケンスをＯＦＤＭシンボルに拡張（拡散）することである。そして，上記「第２」の「１　引用発明」の「（１）引用発明１」の（イ）を参酌すると，引用発明１において，「直交カバーシーケンスによる拡散」は，符号化され，ＱＰＳＫシンボルに変換（変調）されたシンボルのシーケンスに，ＤＦＴシーケンスである直交シーケンスを適用しているから，当該符号化され，ＱＰＳＫシンボルに変換（変調）されたシンボルのシーケンスを，ＯＦＤＭシンボルに拡散（拡張）していることに等しい。
　よって，引用発明１の「直交カバーシーケンスによる拡散」は，本願発明の「時間領域拡散」に相当する。
　また，本願明細書の段落【００７８】には，「プリコーディング変換とは，ＯＦＤＭシンボルにおける変調シーケンスに対してＤＦＴ演算を行うことである。」と記載されている。一方，引用発明１の「ＤＦＴによるプリコード」は，「ＨＡＲＱフィードバックビット」を「ＱＰＳＫシンボルに変換」（変調）された後になされるから，ＱＰＳＫシンボルのシーケンスに対してＤＦＴ演算を行うことよりプリコードを行うことに等しく，また，ＤＦＴ演算によりシーケンスに何らかの「変換」がなされることは自明であるから，本願発明の「プリコーディング変換」に相当する。
　以上より，前記（１）を参酌すると，引用発明１の「ＨＡＲＱフィードバックビットに対して，符号化，スクランブル，ＱＰＳＫシンボルへの変換，直交カバーシーケンスによる拡散及びＤＦＴＳによるプリコードをそれぞれ行い」は，本願発明の「アップリンク制御シグナルに対して，チャネルコーディング，スクランブリング，変調，時間領域拡散及びプリコーディング変換をそれぞれ行い」に相当する。
（３）引用発明１の「ＤＦＴＳ−ＯＦＤＭシンボル」は，本願発明の「直交波周波数分割多重（ＯＦＤＭ：Ｏｒｔｈｏｇｏｎａｌ　Ｆｒｅｑｕｅｎｃｙ　Ｄｉｖｉｓｉｏｎ　Ｍｕｌｔｉｐｌｅｘｉｎｇ）シンボル」に含まれるものである。また，引用発明１では，「前記ＨＡＲＱフィードバックビットがマッピングされる前記ＤＦＴＳ−ＯＦＤＭシンボルを伝送」するから，「ＤＦＴＳ−ＯＦＤＭシンボル」は，「ＨＡＲＱフィードバック」を「搬送」するためのものであることが明らかである。すると，前記（１）を参酌すると，引用発明１の「前記ＨＡＲＱフィードバックビットを，ＤＴＦＳ−ＯＦＤＭシンボルへマッピング」は，本願発明の「前記アップリンク制御シグナルを，前記アップリング制御シグナルの搬送に利用される直交波周波数分割多重（ＯＦＤＭ：Ｏｒｔｈｏｇｏｎａｌ　Ｆｒｅｑｕｅｎｃｙ　Ｄｉｖｉｓｉｏｎ　Ｍｕｌｔｉｐｌｅｘｉｎｇ）シンボルへマッピング」に相当する。
（４）引用発明１において，「ＨＡＲＱフィードバックビット」がマッピングされる「ＤＦＴＳ−ＯＦＤＭシンボル」は，「ＨＡＲＱフィードバックビット」を「保持」するものといえるから，前記（１）及び（３）を参酌すると，引用発明１の「前記ＨＡＲＱフィードバックビットがマッピングされる前記ＤＦＴＳ−ＯＦＤＭシンボルを伝送」することは，本願発明の「前記ＯＦＤＭシンボルに保持された前記アップリング制御シグナルを送信」することに相当する。
（５）本願発明の「アップリンク基準信号」に関し，本願の明細書には，次のように記載されている。
「【００７９】
　Ｎの値が，システムにおいて利用される巡回プレフィックスのタイプ及びアップリンク基準信号（復調基準信号（ＤＭ  ＲＳ）及びサウンディング基準信号（ＳＲＳ））に占有されるＯＦＤＭシンボルの数に関係することは，以下のことを意味する。
【００８０】
　すなわち，システムにおいて利用される巡回プレフィックスのタイプに応じて，現在のタイムスロットのＯＦＤＭシンボルの数を取得することができ，それからタイムスロットにおけるアップリンク基準信号に占有されるＯＦＤＭシンボルの数を引くことによって，１つのタイムスロットにおけるＡＣＫ／ＮＡＣＫメッセージに占有されるＯＦＤＭシンボルの数を取得することができ，これによって，１つのサブフレームにおけるＡＣＫ／ＮＡＣＫメッセージに占有されるＯＦＤＭシンボルの数Ｎを取得することができることを示す。
【００８１】
　ここで，１つのタイムスロットにおけるアップリンク復調基準信号に占有されるＯＦＤＭシンボルの数は３，２，又は１であり，アップリンクサウンディング基準信号に占有されるＯＦＤＭシンボルの数は１である。
【００８２】
　マッピングされたＯＦＤＭシンボル位置がアップリンク基準信号の位置に関係することは，前処理されたＡＣＫ／ＮＡＣＫメッセージを，アップリンク基準信号の位置を除く他のＯＦＤＭシンボルにマッピングすることを示す。」
　この記載を参酌すると，本願発明の「アップリンク基準信号」は，「アップリンク復調基準信号」と「アップリンクサウンディング基準信号」（ＳＲＳ）の両者を含むものと解される。また，この記載の【００８１】を参酌すると，「アップリンクサウンディング基準信号」によっても「ＯＦＤＭシンボル」が「占有」され得ると解される。したがって，本願発明の「アップリンク基準信号によって占有されるＯＦＤＭシンボル」は，「アップリンクサウンディング基準信号」（ＳＲＳ）によって占有されるＯＦＤＭシンボルを含んでいる。
　「ＲＳ」が，reference signal すなわち，「基準信号」の略称であることは出願時の技術常識である。また，引用発明１において，「ＲＳ」は，「ＰＵＣＣＨ」すなわち，アップリンクに使用される信号である。
　すると，引用発明１の「ＲＳ」と，本願発明の「アップリンク基準信号」（特に，これに含まれる「アップリンク復調基準信号」）とは，「アップリンクの基準信号」である点において共通する。
　また，引用発明１において，「ＲＳ」がマッピングされる「ＤＦＴＳ−ＯＦＤＭシンボル」は，ＰＵＣＣＨの周波数帯域でみれば「ＲＳ」によって「占有」されている。しかしながら，ＳＲＳの伝送に伴いパンクチャされるＤＦＴＳ−ＯＦＤＭシンボルは，ＳＲＳによって「占有」されていない。
　以上のことから，前記（１）及び（３）を参酌すると，引用発明１の「前記ＨＡＲＱフィードバックビットがマッピングされるＤＦＴＳ−ＯＦＤＭシンボルは，１つのサブフレームにおいて，ＲＳによって占有されるＤＦＴＳ−ＯＦＤＭシンボルとＳＲＳの伝送に伴いパンクチャされるＤＦＴＳ−ＯＦＤＭシンボルとを除くＤＦＴＳ−ＯＦＤＭシンボル」であることと，本願発明の「前記アップリンク制御シグナルを搬送するＯＦＤＭシンボルは，１つのサブフレームにおいて，アップリンク基準信号によって占有されるＯＦＤＭシンボルを除くＯＦＤＭシンボル」であることとは，「前記アップリンク制御シグナルを搬送するＯＦＤＭシンボルは，１つのサブフレームにおいて，少なくともアップリンクの基準信号によって占有されるＯＦＤＭシンボルを除くＯＦＤＭシンボル」であることにおいて共通する。
（６）引用発明１の「ＳＲＳ」及び「スロット」はそれぞれ，本願発明の「サウンディング基準信号（ＳＲＳ）」及び「タイムスロット」に相当する。
　よって，引用発明１の「ＨＡＲＱフィードバックビットとＳＲＳが１つのサブフレームにより伝送される場合に，サブフレームの２番目のスロットの最後のＤＦＴＳ−ＯＦＤＭシンボルにおいて，ＨＡＲＱフィードバックビットとＲＳのいずれも伝送されず」と，本願発明の「前記アップリンク制御シグナル及びサウンディング基準信号（ＳＲＳ：Ｓｏｕｎｄｉｎｇ　Ｒｅｆｅｒｅｎｃｅ　Ｓｉｇｎａｌ）が１つのサブフレームにより搬送される場合に，サブフレームの２番目のタイムスロットの最後のＯＦＤＭシンボルにおいて，アップリンク制御シグナルとアップリンク復調基準信号のいずれも搬送されず」とは，前記（１），（３）及び（５）を参酌すると，「前記アップリンク制御シグナル及びサウンディング基準信号（ＳＲＳ：Ｓｏｕｎｄｉｎｇ　Ｒｅｆｅｒｅｎｃｅ　Ｓｉｇｎａｌ）が１つのサブフレームにより搬送される場合に，サブフレームの２番目のタイムスロットの最後のＯＦＤＭシンボルにおいて，アップリンク制御シグナルとアップリンクの基準信号のいずれも搬送されず」である点において共通する。
（７）前記（２）及び（３）を参酌すると，引用発明１の「前記ＨＡＲＱフィードバックビットに対して直交カバーシーケンスによる拡散を行う際，直交カバーシーケンスを利用して，ＱＰＳＫシンボルに変換された前記ＨＡＲＱビットをＨＡＲＱフィードバックビットがマッピングされるＤＦＴＳ−ＯＦＤＭシンボルに拡散し，前記直交カバーシーケンスの長さは，１つのスロットにおいて，ＨＡＲＱフィードバックビットがマッピングされるＤＦＴＳ−ＯＦＤＭシンボルの数であり，」は，本願発明の「前記アップリンク制御シグナルに対して時間領域拡張を行う際，直交シーケンスを利用して，処理された前記アップリンク制御シグナルシーケンスをアップリンク制御シグナルを搬送するＯＦＤＭシンボルに拡張し，前記直交シーケンスの長さは，１つのタイムスロットにおいて，アップリンク制御シグナルを搬送するＯＦＤＭシンボルの数であり，」に相当する。
（８）本願発明の「復調基準信号」は，「アップリンク復調基準信号」と同義であることは明細書及び図面の記載からみて自明なことである。そして，前記（３）及び（５）を参酌すると，引用発明１の「ＨＡＲＱフィードバックビットを伝送する場合，ＲＳを，各スロットのｋ個のＤＦＴＳ−ＯＦＤＭシンボルにマッピングし，ｋ＝２である」と，本願発明の「前記アップリンク制御シグナルを送信する場合，復調基準信号を，各タイムスロットのｋ個のＯＦＤＭシンボルにより搬送し，ノーマル巡回プレフィックスのサブフレームにおいて，ｋ＝２又はｋ＝３であり，拡張巡回プレフィックスのサブフレームにおいて，ｋ＝２又はｋ＝１である」とは，「前記アップリンク制御シグナルを送信する場合，アップリンクの基準信号を，各タイムスロットのｋ個のＯＦＤＭシンボルにより搬送し，ｋ＝２である」という点において共通する。
２　一致点・相違点
　前記１から，本願発明と引用発明１とは，以下の点で一致ないし相違している。
（１）一致点
「　アップリンク制御シグナル送信方法であって，
　アップリンク制御シグナルに対して，チャネルコーディング，スクランブリング，変調，時間領域拡散及びプリコーディング変換をそれぞれ行い，
　前記アップリンク制御シグナルを，前記アップリング制御シグナルの搬送に利用される直交波周波数分割多重（ＯＦＤＭ：Ｏｒｔｈｏｇｏｎａｌ　Ｆｒｅｑｕｅｎｃｙ　Ｄｉｖｉｓｉｏｎ　Ｍｕｌｔｉｐｌｅｘｉｎｇ）シンボルへマッピングし，
　前記ＯＦＤＭシンボルに保持された前記アップリング制御シグナルを送信し，
　前記アップリンク制御シグナルを搬送するＯＦＤＭシンボルは，１つのサブフレームにおいて，少なくともアップリンクの基準信号によって占有されるＯＦＤＭシンボルを除くＯＦＤＭシンボルであり，
　前記アップリンク制御シグナル及びサウンディング基準信号（ＳＲＳ：Ｓｏｕｎｄｉｎｇ　Ｒｅｆｅｒｅｎｃｅ　Ｓｉｇｎａｌ）が１つのサブフレームにより搬送される場合に，サブフレームの２番目のタイムスロットの最後のＯＦＤＭシンボルにおいて，アップリンク制御シグナルとアップリンクの基準信号のいずれも搬送されず，
　前記アップリンク制御シグナルに対して時間領域拡張を行う際，
　直交シーケンスを利用して，処理された前記アップリンク制御シグナルシーケンスをアップリンク制御シグナルを搬送するＯＦＤＭシンボルに拡張し，
　前記直交シーケンスの長さは，１つのタイムスロットにおいて，アップリンク制御シグナルを搬送するＯＦＤＭシンボルの数であり，
　前記アップリンク制御シグナルを送信する場合，
　アップリンクの基準信号を，各タイムスロットのｋ個のＯＦＤＭシンボルにより搬送し，
　ｋ＝２である
　ことを特徴とする方法。」
（２）相違点
ア　相違点１
　「アップリンクの基準信号」が，本願発明は，「（アップリンク）復調基準信号」であるのに対し，引用発明は，「ＲＳ」である点。よって，「前記アップリンク制御シグナル及びサウンディング基準信号（ＳＲＳ：Ｓｏｕｎｄｉｎｇ　Ｒｅｆｅｒｅｎｃｅ　Ｓｉｇｎａｌ）が１つのサブフレームにより搬送される場合に，サブフレームの２番目のタイムスロットの最後のＯＦＤＭシンボルにおいて」，本願発明は，「アップリンク制御シグナルとアップリンク復調基準信号のいずれも搬送され」ないのに対し，引用発明１は，ＨＡＲＱフィードバックビットとＲＳのいずれも伝送され」ない点。
イ　相違点２
　「アップリンク制御シグナルを搬送するＯＦＤＭシンボル」が，本願発明は，「アップリンク基準信号によって占有されるＯＦＤＭシンボルを除くＯＦＤＭシンボル」であるのに対し，引用発明１は，ＲＳによって占有されるＤＦＴＳ−ＯＦＤＭシンボルとＳＲＳの伝送に伴いパンクチャされるＤＦＴＳ−ＯＦＤＭシンボルとを除くＤＦＴＳ−ＯＦＤＭシンボル」である点。
ウ　相違点３
　「前記アップリンク制御シグナルを送信する場合」，本願発明は，「復調基準信号を，各タイムスロットのｋ個のＯＦＤＭシンボルにより搬送し，ノーマル巡回プレフィックスのサブフレームにおいて，ｋ＝２又はｋ＝３であり，拡張巡回プレフィックスのサブフレームにおいて，ｋ＝２又はｋ＝１である」のに対し，引用発明１は，ＲＳを，各スロットのｋ個のＤＦＴＳ−ＯＦＤＭシンボルにマッピングし，ｋ＝２である」点。
（３）判断
　上記各相違点について検討する。
ア　相違点１について
　上記周知事項１にあるように，『ＰＵＣＣＨ用の基準信号には，上りリンク「復調用基準信号（ＤＲＳ）」と上りリンクの「サウンディング基準信号（ＳＲＳ）」とがあり，上りリンクの「復調用基準信号（ＤＲＳ）」は，簡単のために上りリンクの「基準信号」ともいうこと。』は，本願の優先日において，ＬＴＥにおける周知技術にすぎない。したがって，引用発明１の「ＲＳ」は，「ＳＲＳ」とは異なる基準信号であることから，上記周知技術を参酌すると，アップリンクの「復調用基準信号」といえるものである。そうすると，引用発明１における「ＲＳ」は，本願発明の「アップリンク復調基準信号」に相当し，よって，当該相違点２は，実質的な差異ではない。
イ　相違点２について
　引用発明２にあるように，ＰＵＣＣＨにおいて，「ＡＣＫ／ＮＡＣＫがマッピングされるＬＢは，１つのサブフレームにおいて，ＲＳとＳＲＳによって占有されるＬＢを除くＬＢであること」は，本願の優先日において公知技術である。そして，上記周知事項１を参酌すると，引用発明２に係る「ＲＳ」は，本願発明の「アップリンク復調基準信号」に相当し，そうすると，引用発明２において，「ＲＳ」と「ＳＲＳ」の両者は，本願発明の「アップリンク基準信号」に相当する。
　また，上記周知事項４にあるように，『「ＬＢ」は，ＯＦＤＭシンボルと同義であること。』は周知技術であるから，引用発明２に係る「ＬＢ」は，「ＯＦＤＭシンボル」と同義である。
　よって，周知技術を参酌すると，引用発明２は，「ＡＣＫ／ＮＡＣＫがマッピングされるＯＦＤＭシンボルは，１つのサブフレームにおいて，アップリンク基準信号によって占有されるＯＦＤＭシンボルを除くＯＦＤＭシンボルであること」と読み替えられる。
　そして，引用発明１と引用発明２とは，いずれもＰＵＣＣＨに関するものである点で共通しているから，引用発明１における「アップリンク制御シグナルを搬送するＯＦＤＭシンボル」について，引用発明２に係る公知技術を適用し，「アップリンク基準信号によって占有されるＯＦＤＭシンボルを除くＯＦＤＭシンボル」とすることは，当業者が容易に想到し得たことである。
ウ　相違点３について
　周知事項３にあるように，「１スロットあたりのＯＦＤＭシンボルは，通常のサイクリックプレフィクスの場合は７つであり，拡張サイクリックプレフィクスの場合は６つであること。」は，ＬＴＥにおける周知技術である。すると，引用発明１において，「ＲＳを，各スロットの７個のＤＦＴＳ−ＯＦＤＭシンボルのうちｋ個のＤＦＴＳ−ＯＦＤＭシンボルにマッピングし，ｋ＝２である」は，各スロットを構成するＯＦＤＭシンボルの数が７個であることから，サブフレームが，「通常のサイクリックプレフィックス」すなわち，「ノーマル巡回プレフィックス」の場合を示している。また，周知事項１を参酌すると，引用発明１の「ＲＳ」は，「（アップリンク）復調基準信号」のことである。
　そうすると，引用発明１の，「ＲＳを，各スロットの７個のＤＦＴＳ−ＯＦＤＭシンボルのうちｋ個のＤＦＴＳ−ＯＦＤＭシンボルにマッピングし，ｋ＝２である」は，「復調基準信号を，各タイムスロットのｋ個のＯＦＤＭシンボルにより搬送し，ノーマル巡回プレフィックスのサブフレームにおいて，ｋ＝２である」と読み替えることができる。
　よって，引用発明１は，本願発明のうち，「ノーマル巡回プレフィックスのサブフレーム」において，「ｋ＝２」である点において一致する。
　また，引用発明２にあるように，「ＡＣＫ／ＮＡＣＫを搬送するＰＵＣＣＨにおいて，各スロットにおいてＲＳがマッピングされるＬＢの数は，短ＣＰのサブフレームにおいて，７個のＬＢのうちの２個又は３個，長ＣＰのサブフレームにおいて，６個のＬＢのうちの２個であること。」は公知技術である。ここで，周知事項４を参酌すると，「ＬＢ」は「ＯＦＤＭシンボル」と同義であり，周知事項３を参酌すると，「短ＣＰ」は，７個のＯＦＤＭシンボルからなることから，「ノーマル巡回プレフィックス」に相当し，「長ＣＰ」は，６個のＯＦＤＭシンボルからなることから，「拡張巡回プレフィックス」に相当する。そうすると，引用発明２は，「ＡＣＫ／ＮＡＣＫを搬送するＰＵＣＣＨにおいて，各スロットにおいて復調基準信号がマッピングされるＯＦＤＭシンボルの数は，ノーマル巡回プレフィックスにおいて，２個又は３個，拡張巡回プレフィックスにおいて，２個であること。」と読み替えることができる。
　そして，復調基準信号がマッピング（搬送）されるＯＦＤＭシンボルの数を「ｋ」とすると，引用発明２は，本願発明のうち，「ノーマル巡回プレフィックスのサブフレーム」において，「ｋ＝２又は３」であること，及び，「拡張巡回プレフィックスのサブフレーム」において，「ｋ＝２」である点において一致する。
　また，引用発明３にあるように，「ＡＣＫ／ＮＡＣＫを搬送するＰＵＣＣＨにおいて，各スロットにおけるＲＳの数は，短ＣＰにおいて，２個，長ＣＰにおいて，１個であること。」は，本願の優先日における公知技術である。周知事項１，周知事項３，周知事項４等の出願時の技術常識を参酌すれば，引用発明３における「短ＣＰ」及び「長ＣＰ」はそれぞれ，「ノーマル巡回プレフィックスのサブフレーム」及び「拡張巡回プレフィックスのサブフレーム」を意味すること，及び，「ＲＳ」の数とは，「ＲＳ」すなわち「復調基準信号」がマッピング（搬送）される「ＯＦＤＭシンボルの数」を意味することは明らかである。
　そして，復調基準信号が搬送されるＯＦＤＭシンボルの数を「ｋ」とすると，引用発明３は，本願発明のうち，「ノーマル巡回プレフィックスのサブフレーム」において，「ｋ＝２」であること，及び，「拡張巡回プレフィックスのサブフレーム」において，「ｋ＝１」である点において一致する。
　周知事項２にあるように，「上りリンクの復調用基準信号（ＤＲＳ）を伝送するＤＦＴＳ−ＯＦＤＭのシンボル数と位置は，ＰＵＣＣＨのフォーマットに応じて異なること。」は，ＬＴＥにおける周知技術であるから，引用発明１において，当該周知技術を参酌して，種々のＰＵＣＣＨのフォーマットを適用しようとすることは当業者ならば容易に想到し得ることであり，その具体化において，引用発明２及び３に記載された公知技術にあるＰＵＣＣＨのフォーマットを適用し，「前記アップリンク制御シグナルを送信する場合，復調基準信号を，各タイムスロットのｋ個のＯＦＤＭシンボルにより搬送し，ノーマル巡回プレフィックスのサブフレームにおいて，ｋ＝２又はｋ＝３であり，拡張巡回プレフィックスのサブフレームにおいて，ｋ＝２又はｋ＝１である」との本願発明に対応する構成とすることは，当業者が適宜になし得ることである。
（４）　請求人の主張
　請求人は，審判請求書において，
『引用文献６には，ＣＱＩ送信時のパイロットの構造が記載されているのに対して，補正後の本願請求項１には，ＨＡＲＱ−ＡＣＫ送信時のパイロットの構造が記載されております。しかし，ＨＡＲＱ−ＡＣＫを送信する性能要件は，ＣＱＩを送信する性能要件と全く相違しております。また，ＨＡＲＱ−ＡＣＫ送信時のチャンネル化構造は，ＣＱＩ送信時のチャンネル化構造と全く相違しております。更に，ＨＡＲＱ−ＡＣＫ送信時のパイロットに対する要求仕様も，ＣＱＩ送信時のパイロットに対する要求仕様と全く相違しております。
　また，引用文献６に記載されている「Ｓｈｏｒｔ　ＣＰにおいて第１シンボルと第５シンボルでＲＳを送信し，Ｌｏｎｇ　ＣＰにおいて第３シンボルでＲＳを送信する」との技術的特徴は，補正後の本願請求項１に記載されている「各タイムスロットのｋ個のＯＦＤＭシンボルにより搬送し，ノーマル巡回プレフィックスのサブフレームにおいて，ｋ＝２又はｋ＝３であり，拡張巡回プレフィックスのサブフレームにおいて，ｋ＝２又はｋ＝１である」との技術的特徴と全く相違しております。本願請求項１の技術案について，引用文献６には，記載も示唆もなされておりません。
　更に，補正後の本願請求項１に記載されている「前記アップリンク制御シグナルを送信する場合，復調基準信号を，各タイムスロットのｋ個のＯＦＤＭシンボルにより搬送し，ノーマル巡回プレフィックスのサブフレームにおいて，ｋ＝２又はｋ＝３であり，拡張巡回プレフィックスのサブフレームにおいて，ｋ＝２又はｋ＝１である」との技術的特徴について，引用文献１〜５には，記載も示唆もなされておりません。
』と主張している。
　上記主張の中で，「補正後の本願請求項１には，ＨＡＲＱ−ＡＣＫ送信時のパイロットの構造が記載されております。」は，本願発明（請求項１）の記載に基づいたものではないから採用することができない。すなわち，請求項１には，「アップリンク制御シグナル」がどのような信号であるのか具体的に限定されておらず，また，請求項１を引用する請求項８には，「前記アップリンク制御シグナルは，アップリンクフィードバックされた肯定／否定応答（ＡＣＫ／ＮＡＣＫ）情報又はチャネル状態情報（ＣＳＩ：Ｃｈａｎｎｅｌ　Ｓｔａｔｅ　Ｉｎｆｏｒｍａｔｉｏｎ）である」と記載されていることから，請求項１に係る「アップリンク制御シグナル」が「ＣＳＩ」である態様を含み，「ＨＡＲＱ−ＡＣＫ」に限らないことは明らかである。
　同様の理由により，「しかし，ＨＡＲＱ−ＡＣＫを送信する性能要件は，ＣＱＩを送信する性能要件と全く相違しております。」との主張も採用することができない。
　また，引用例３（上記主張における「引用文献６」に相当。）について，上記キで参照した表３（Table 3）の「情報ビット数」（Number of information bits）の欄には，「ＣＱＩ：８ビット, ＡＣＫ／ＮＡＣＫ: ２ビット」と「ＣＱＩ：５ビット, ＡＣＫ／ＮＡＣＫ: １ビット」を情報ビット（本願発明の「アップリンク制御シグナル」に相当。）として用いることが記載されていることから，引用例３には，「ＣＱＩ」のみならず，「ＡＣＫ／ＮＡＣＫ」を送信する場合の事例について実質的に記載されているといえるから，引用例３に係るＰＵＣＣＨのフォーマットを，引用発明１に組み合わせることに技術的な阻害要因はない。
　さらに，『更に，補正後の本願請求項１に記載されている「前記アップリンク制御シグナルを送信する場合，復調基準信号を，各タイムスロットのｋ個のＯＦＤＭシンボルにより搬送し，ノーマル巡回プレフィックスのサブフレームにおいて，ｋ＝２又はｋ＝３であり，拡張巡回プレフィックスのサブフレームにおいて，ｋ＝２又はｋ＝１である」との技術的特徴について，引用文献１〜５には，記載も示唆もなされておりません。』との主張に関し，前記「（３）判断」の「エ　相違点４」の項で述べたように，引用発明１（上記主張における「引用文献１」に相当。）には，「復調基準信号を，各タイムスロットのｋ個のＯＦＤＭシンボルにより搬送し，ノーマル巡回プレフィックスのサブフレームにおいて，ｋ＝２である」ことについて，また，引用発明２（上記主張における「引用文献２」に相当。）には，「ノーマル巡回プレフィックスのサブフレームにおいて，ｋ＝２又は３」であること，及び，「拡張巡回プレフィックスのサブフレームにおいて，ｋ＝２」であることについて記載若しくは示唆がなされている。そして，周知事項２にあるように，「上りリンクの復調用基準信号（ＤＲＳ）を伝送するＤＦＴＳ−ＯＦＤＭのシンボル数と位置は，ＰＵＣＣＨのフォーマットに応じて異なること。」は，ＬＴＥにおける周知技術であるから，引用発明１において，当該周知技術を参酌して，種々のＰＵＣＣＨのフォーマットを適用しようとすることは当業者ならば容易に想到し得ることであり，その具体化において，引用発明２及び３に記載された公知技術にあるＰＵＣＣＨのフォーマットを適用し，「前記アップリンク制御シグナルを送信する場合，復調基準信号を，各タイムスロットのｋ個のＯＦＤＭシンボルにより搬送し，ノーマル巡回プレフィックスのサブフレームにおいて，ｋ＝２又はｋ＝３であり，拡張巡回プレフィックスのサブフレームにおいて，ｋ＝２又はｋ＝１である」との本願発明に対応する構成とすることは当業者にとって適宜なし得たことである。
　よって，上記主張は，いずれも採用することができない。
第４　むすび　
　以上のとおり，本願発明は，引用発明１ないし引用発明３に基づいて，周知技術を参酌することにより当業者が容易に発明をすることができたものであるから，特許法第２９条第２項の規定により特許を受けることができない。
　したがって，本願は，その余の請求項に論及するまでもなく拒絶すべきものである。
　よって，結論のとおり審決する。